(57)【要約】【課題】  装着して使える機能性と豊かなアクセサリー性を併せ持つ多用途ストラップを提供する。【解決手段】  携帯電話、キーホルダー、懐中時計などに着脱自在に接続できるストラップで、このストラップに装飾を施したフック式、根付式などの装着部を設けたことを特徴とする多用途ストラップ。さらに、ストラップの長さを自在に調整することができる長さ調整機構を設けたことを特徴とする多用途ストラップ。さらに、前記の装着部がストラップに着脱自在に設けられたことを特徴とする多用途ストラップ。【選択図】図１
2008220900.tif 000002
【特許請求の範囲】
【請求項１】
携帯電話、キーホルダー、懐中時計などに着脱自在に接続できるストラップで、前記ストラップに装飾を施したフック式、根付式などの装着部を設けたことを特徴とする多用途ストラップ。
【請求項２】
ストラップの長さを自在に調整することができる長さ調整機構を設けたことを特徴とする請求項１記載の多用途ストラップ。
【請求項３】
前記の装着部がストラップに着脱自在に設けられたことを特徴とする請求項１または請求項２記載の多用途ストラップ。
【発明の詳細な説明】
【技術分野】
【０００１】  本発明は、装着して使える機能性と豊かなアクセサリー性を併せ持つ多用途ストラップに関するものである。
【背景技術】
【０００２】  従来の携帯電話ストラップを見ると、機能上の役割を持っているのではあろうが、むしろ飾りとしての要素が強く、実用性の点でもアクセサリー性の点でも物足りないものが多い。
機能性の面では、装着したまま使えるものとして首からさげる方式のもの、クリップにらせんコードを付けたもの、長いチェーンを付けたものがある。また、アクセサリー性の面では、ひも部分が皮革製のもの、ひもの先にブランド名を強調した飾りを付けたもの、人形など小さな飾りを付けたものに限られる。
機能性とアクセサリー性を併せ持つ商品が開発されていない状況である。
【発明の開示】
【発明が解決しようとする課題】
【０００３】  （イ）装着したまま接続した器具を使えるタイプが少ない。
（ロ）機能性とアクセサリー性を併せ持つタイプが少ない。
（ハ）アクセサリー性を持たせるための装飾素材の使用範囲が狭い。
（ニ）携帯電話ストラップをキーホルダー、懐中時計など他の器具にも使える互換性が      ない。
（ホ）和装の際に装着して使えるストラップがない。
本発明は以上の問題点を解決しようとするものである。
【課題を解決するための手段】
【０００４】  携帯電話、キーホルダー、懐中時計などに着脱自在に接続できるストラップで、前記ストラップに装飾を施したフック式、根付式などの装着部を設けたことを特徴とする多用途ストラップである。
【発明の効果】
【０００５】  本発明は、長さを調節できるストラップにより、装着したまま接続対象器具を使えるとともに、装飾部とストラップにアクセサリー性豊かな素材を用いることで、機能性とアクセサリー性を併せ持つ。また、連結部と接続部に互換性を持たせることで、携帯電話のみならずデジタルオーディオプレーヤー、ウォークマン、デジタルカメラ、携帯ラジオや、キーホルダー、懐中時計など様々な器具にも用いることができる多用途ストラップになる。【０００６】  着衣などに装着することで、誤って手が滑ったときでも地面に落とさずに済む。また財布・カード代わりにもなるなど重要な機能を持つ携帯電話を紛失する心配もない。【０００７】  装着部あるいは接続部に一時固定するためのフックなどを設けることにより、接続対象器具の大きなぶらつきを防ぐことができ、スカートや和装のようなポケットのない着衣にも装着できる。【０００８】  装着部、装飾部、ストラップに様々な形態および材料を用いることにより、幅広い価格帯の多様な商品を開発できる。また、装飾部やストラップに日本の感性を生かした伝統工芸品（切子細工、螺鈿、鼈甲、蒔絵、組紐など）を用いることで、伝統技術と最新機器との融合による伝統工芸の新たな用途を創出でき、欧米をはじめ海外向け商品としての販売も期待できる。【０００９】  装着部とストラップの連結部と、ストラップと接続対象器具との接続部に互換性を持たせることにより、単体での販売はもとより、セット販売、装着部およびストラップの分売もできるようになり、様々な販売形態に対応できる商品となる。
【発明を実施するための最良の形態】
【００１０】  以下、本発明の第１の実施形態について説明する。
（イ）フック式装着部（１）に装飾部（２）を付ける。フック式装着部のフック部はほぼ      コの字状であり、衣服などに引っかけることができる。装着部の材料は、金属や皮      革を用いる。装飾部の材料は、伝統工芸品、貴金属、宝石など高価なものから、安      価に作製できる装飾模造品に至るまで各種材料を使用する。また、装着部に直接彫      刻などで装飾を施したり、装着・装飾部を彫り物、焼き物、石細工、ガラス細工、      プラスチック造形物などの根付式にするなど、多様な装飾素材を用いる。ゲルマニ      ウムやトルマリンなど健康によい素材も使用できる。
（ロ）フック式装着部（１）の取り付け口（３）と、ストラップ（７）の一端に付けた連      結部（４）をつなぐ。フック式装着部（１）に直接ストラップを取り付けても問題      ない。装着部とストラップの連結部（４）には着脱可能な留め具を取り付ける。ま      たは、留め具を使わずストラップを着脱可能な方法で直接結び付ける。ストラップ      の材料は、組紐などのひも状のもの、皮革、チェーン、装飾されたネックレス状の      ものなどを用いる。
（ハ）ストラップ（７）を長さ調節機構（５）に通し、さらにリング状接続部（８）に通      す。ストラップの長さ調節機構には、バネ、形状記憶合金、クリップなどを用いた      留め具を使用する。長さ調節機構には、ストラップの一端を固定するストラップ端      末固定部（６）を設ける。ストラップの長さの調節は、長さ調節機構の中を通した      ストラップをスライドさせたり、ストラップからいったん取り外した長さ調節機構      を必要な長さの位置に取り付けることで自在にできる。
（ニ）リング状接続部（８）を通したストラップのもう一端を、長さ調節機構（５）に固      定したストラップ端末固定部（６）に固定する。ストラップと接続対象器具の接続      部には、着脱可能な留め具を取り付ける。または留め具を使わず、ストラップを着      脱可能な方法で直接結び付ける。
本発明を使用するときは、リング状接続部（８）に別途接続対象器具を接続したうえで、フック式装着部（１）をベルトや着衣、またはカバン・バッグの一部に引っかけて装着する。接続対象器具使用の際にストラップを長くする必要がある場合、片方の手で長さ調節機構（５）をスライドさせることにより、ストラップ（７）を伸ばす。用が済んだら、再び長さ調節機構（５）をスライドさせてストラップ（７）の長さを元に戻す。
この実施形態のフック式装着部については、クリップ式、ベルト巻き付け式、ベルト通し式、根付式の装着部と着脱自在に交換できる。クリップ式を使用するときは、着衣やカバン・バッグなどの装着位置を挟んで使用する。ベルト巻き付け式を使用するときは、ベルトに巻き付けて留めボタンあるいはマジックテープではずれないように留めて使用する。ベルト通し式を使用するときは、ベルトを通すだけでよい。また根付式を使用するときは、ベルト・和装の帯などと着衣との間にストラップを挟み込んで根付部が抜け落ちないようにしたり、カバン・バッグなどの取っ手・ベルト部にストラップを巻き付けて使用する。
装着部を抜き取りやすくするために、装着部の上部につまみの役割を果たすようにつまみ取っ手（９）を設けたり、つまみひも（１０）を付けたり、つまみ突起（１１）を設けたりする。この部分をつまんだり、指をかけたりして引き上げることで簡単に抜き取ることができる。
フック式またはクリップ式装着部にフック状の一時固定切れ込み（１２）または突出するフックを設け、根付式装着部（１４）にリング部（１５）を設け、接続対象器具を一時固定できるようにする。使用するときは、フック式またはクリップ式装着部の場合はフック状の一時固定切れ込み（１２）または突出するフックにストラップと接続器具をつなぐ器具接続具（１３）を引っかける。根付式装着部の場合はリング部（１５）にストラップと接続器具をつなぐ一時固定フック付き接続部（１６）を引っかける。こうすることでスカートや和装などポケットがない場合でも大きなぶらつきなく接続器具を一時固定することができる。
ストラップと接続対象器具の接続部には、着脱可能な留め具を取り付ける。または留め具を使わず、ストラップを着脱可能な方法で直接結び付ける。【００１１】  以下、本発明の第２の実施形態について説明する。
第１の実施形態の装飾部上部に設けた、つまみの役割を持つつまみ取っ手、つまみひも、つまみ突起を一切設けない形態にする。【００１２】  以下、本発明の第３の実施形態について説明する。
第１の実施形態の一時固定のために設けた、フック式またはクリップ式装着部のフック状の一時固定切れ込みや突出するフック、根付式装着部のリング部を設けない形態にする。【００１３】  以下、本発明の第４の実施形態について説明する。
第１の実施形態の装着部とストラップの連結部を、着脱不可能な固着式にした形態にする。【００１４】  以下、本発明の第５の実施形態について説明する。
第１の実施形態のストラップの材料として、それ自体が伸びるらせんコードやゴムひもを使用した形態にする。【００１５】  以下、本発明の第６の実施形態について説明する。
第１の実施形態の長さ調節機構を設けない、ストラップの長さが一定で変えることができない形態にする。【００１６】  以下、本発明の第７の実施形態について説明する。
第１の実施形態のストラップと接続対象器具の接続部を、着脱不可能な固着式にした形態にする。
【図面の簡単な説明】
【００１７】
【図１】本発明のひも短縮時斜視図
【図２】本発明のひも伸長時斜視図
【図３】本発明の装着部・装飾部形態図  （ａ）はフック式。（ｂ）はクリップ式。（ｃ）はベルト巻き付け式（留めボタン）。（ｄ）はベルト巻き付け式（マジックテープ）。（ｅ）はベルト通し式。（ｆ）は根付式１。（ｇ）は根付式２。（ｈ）は根付式３。
【図４】本発明の装着部つまみ機構形態図  （ａ）はつまみ取っ手。（ｂ）はつまみひも。（ｃ）はつまみ突起。
【図５】本発明の一時固定機能説明図  （ａ）はフック式装着部への一時固定。（ｂ）は根付式装着部への一時固定。
【図６】本発明のストラップ形態図  （ａ）はバネ式長さ調節機構付き。（ｂ）はクリップ式長さ調節機構付き。（ｃ）は長さ不変１。（ｄ）は長さ不変２。（ｅ）は長さ不変３。
【図７】本発明のバネ式長さ調節機構断面図  （ａ）は固定時。（ｂ）は開放時。
【図８】本発明の形状記憶合金利用長さ調節機構断面図  （ａ）は固定時。（ｂ）は開放時。
【図９】本発明の収納型クリップ式長さ調節機構断面図  （ａ）は固定時。（ｂ）は開放時。
【図１０】本発明の露出型クリップ式長さ調節機構形態図  （ａ）は固定時。（ｂ）は開放時。
【図１１】本発明の器具接続図  （ａ）は携帯電話接続例。（ｂ）はキーホルダー接続例。（ｃ）は懐中時計接続例。
【図１２】本発明のスラックス装着図  （ａ）はベルト装着例。（ｂ）はポケット装着例。（ｃ）は根付式装着例。
【図１３】本発明のスカート・和装装着図  （ａ）はスカート装着例。（ｂ）は女性和装装着例。（ｃ）は男性和装装着例。
【図１４】本発明のカバン・バッグ装着図  （ａ）はポケット部装着例。（ｂ）は取っ手部装着例。（ｃ）は側面装着例。（ｄ）はベルト部装着例。
【符号の説明】
【００１８】      １  フック式装着部
２  装飾部
３  取り付け口
４  連結部
５  長さ調節機構
６  ストラップ端末固定部
７  ストラップ
８  リング状接続部
９  つまみ取っ手
１０  つまみひも
１１  つまみ突起
１２  一時固定切れ込み
１３  器具接続具
１４  根付式装着部
１５  リング部
１６  一時固定フック付き接続部
１７  バネ
１８  形状記憶合金
１９  クリップ
【図１】
2008220900.tif 000003
【図２】
2008220900.tif 000004
【図３】
2008220900.tif 000005
【図４】
2008220900.tif 000006
【図５】
2008220900.tif 000007
【図６】
2008220900.tif 000008
【図７】
2008220900.tif 000009
【図８】
2008220900.tif 000010
【図９】
2008220900.tif 000011
【図１０】
2008220900.tif 000012
【図１１】
2008220900.tif 000013
【図１２】
2008220900.tif 000014
【図１３】
2008220900.tif 000015
【図１４】
2008220900.tif 000016